(57)【要約】【課題】  ＬＥＤによる光放射器は、多用されてきているが、ＬＥＤが発する熱をどのように放熱するかが難しい。放熱板も考えられているが、どれも放射を妨げる部分に取り付けられている。よって、放射方向が限定され、特定の用途にしか使えない。そこで、放射機能を妨げない放熱効率のよいＬＥＤ放射器を提供する。【解決手段】  複数のＬＥＤを固定したＬＥＤ固定材の両端部に複数のフィンを設けたもの。【選択図】  図４
2016085896.tif 000002
【特許請求の範囲】
【請求項１】
複数のＬＥＤを固定したＬＥＤ固定材の両端部に複数のフィンを設けたことを特徴とするＬＥＤ放射器。
【請求項２】
該ＬＥＤ固定材のフィンの部分以外をカバーするカバー材を設けたものである請求項１記載のＬＥＤ放射器。
【請求項３】
該ＬＥＤ固定材をＬＥＤ側を外側として、中間部に空気通過孔を形成するように構成したものである請求項１又は２記載のＬＥＤ放射器。
【請求項４】
該カバー材の両端部と該フィンの間に蓋体を設けたものである請求項１乃至３のいずれか１項に記載のＬＥＤ放射器。
【請求項５】
本体支持用のプラグが両端に突出しているものである請求項１乃至４のいずれか１項に記載のＬＥＤ放射器。
【発明の詳細な説明】
【技術分野】
【０００１】
本発明は、ＬＥＤ放射器に関するものである。
【背景技術】
【０００２】
近時、ＬＥＤ（発光ダイオード）は消費電力が少なく、かつその寿命が長いことから、多用されてきている。即ち、従来電球や蛍光灯が使用されていた照明用灯、広告灯等に替わって使用されてきているのである。
【０００３】
また、紫外線を放射（出すこと、照射）するＬＥＤも開発されてきたため、水銀等の環境の問題の多い従来の紫外線ランプもＬＥＤに替えることが考えられてきている。
【０００４】
また、紫外線を利用するものとしては捕虫器がある。これは、紫外線を放射し、それによって昆虫類を誘引し捕獲、捕虫するものである。例えば、食品工場では、そこに虫等が入ることは衛生上許されない。そこでその入口出口は、昆虫類の侵入を防ぐため厳重な管理を行っている。しかし、人や物、加工する野菜などに付着して侵入するため完全に防除することはできない。
そこで、侵入した虫を減らすため、または、侵入した虫をモニタリングするため捕虫器が使用されている。
【０００５】
しかし、ＬＥＤは熱を発生させるため、放熱具（装置）が必要である。実際の直管式の蛍光灯型ＬＥＤランプでは、正面側にＬＥＤ、背面に放熱具が設けられている。放熱具としては表面積を大きくした金属板等である。前記した捕虫器では、誘虫のため出力を大きくすることが考えられるが、その時でも昇温の問題が生じる。
【０００６】
そこで、特許文献１のような放熱板を設けて、できるだけ熱を逃がす工夫がされてきている。しかし、この従来のものでは、ランプ本体の上部開口全長に渡って金属製の放熱板が存在するため、その方向には紫外線は照射できない。よって、全方位的な誘虫灯としては使用できない。また、照明用としても同様であり、使用場所が限定されることになる。
【先行技術文献】
【特許文献】
【０００７】
【特許文献１】特開２０１３−２１９００４号公報
【発明の概要】
【発明が解決しようとする課題】
【０００８】
そこで、本発明では、ＬＥＤを用いた、放熱効率に優れ、全方位照射も可能なＬＥＤ放射器を提供する。
【課題を解決するための手段】
【０００９】
以上のような状況に鑑み、本発明者は鋭意研究の結果本発明ＬＥＤ放射器を完成したものであり、その特徴とするところは、複数のＬＥＤを固定したＬＥＤ固定材の両端部に複数のフィンを設けた点にある。
【００１０】
ＬＥＤとは、発光ダイオードと呼ばれるもので、順方向に電圧をかけると発光する半導体である。勿論、人間に認識できるように開発されたものであるため、可視光がメインであるが、最近では紫外線を放射するものも開発されてきている。
本発明では可視光でも紫外線でもよい。紫外線用としては、少なくとも波長が３６５ｎｍ〜３７５ｎｍ程度の紫外線を放射するものである必要がある。
本発明のＬＥＤ放射器という語は、ＬＥＤによって電磁波を放射する器具という意味である。
【００１１】
勿論、可視光と紫外線の両方を出すものでもよい。また、ＬＥＤは複数であるので、紫外線を出すものと可視光を出すものとを混合してもよい。さらに、同じ紫外線や可視光であっても、異なる波長の光（電磁波という意味）を出すＬＥＤを混合してもよい。そうすることによって、広い範囲の波長の電磁波を放射することができる。
【００１２】
ここでいうＬＥＤ固定材はＬＥＤを多数（通常は５個〜３０個、好ましくは１０〜２０個）、使用アンペア数によるが１０ｃｍの間に１個〜１０個ぐらいを１列に並べて固着したものである。列は通常１列であるが、２列又はそれ以上でもよい。
ＬＥＤを単に固定するだけでなく、電源ラインや整流装置その他のＬＥＤに必要な器具も固定されていてもよい。
ＬＥＤを固着しない固定材と組み合わせてもよい。
【００１３】
ＬＥＤ固定材の材質は、どのようなものでもよいが熱伝導に優れたものが好ましい。プラスチックやセラミックでもよいが、金属製が好ましい。コストと成型の容易性からアルミニウム製が好適である。
【００１４】
このＬＥＤ固定材は、板状のもの１枚でも、複数枚でもよく、また厚みのある三角柱や四角柱、円柱状のものでもよい。角材のようなものでは、どの面にもＬＥＤを取り付けることができる。
この角材のような厚みのあるものでは、その中間に熱伝導の大きな銅やその他の部材を挿入してもよい。
【００１５】
また、ＬＥＤ固定材を中に貫通孔があるような筒状にしてもよい。板状のものを組み合わせて中空部を構成しても、一体成型で形成してもよい。例えば、固定材が平板の場合、この平板を３枚以上組み合わせて、断面が多角形（正多角形が好ましい）になり、その中間が空洞になるように組み合わせてもよい。また、固定材が曲面（例えば円筒を２つに割って樋のようにしたもの等）の場合でも同様に真ん中に空洞ができるように組み合わせればよい。組み合わせる場合には、板を溶接、接着、ネジ止め等で固着してもよい。
【００１６】
固定材を一体成型（押出成型や圧縮成型、射出成型等）で形成する場合には、そのような筒状に形成すればよい。例えば、断面が矩形や円、半円その他の形状になるように、真ん中を空洞にすればよい。この場合には、成型した後にＬＥＤを取り付けることになる。また、ＬＥＤは、全周的に設けずともよい。即ち、天井や壁に設けるようなタイプであり、光が全周方向に照射されず特定の方向にだけ照射するものである。
【００１７】
この固定材の大きさは自由であるが（組み合わせの場合はその組み合わせたもの）、長さ（１０〜１２０ｃｍ）×厚みや幅（５〜５０ｍｍ）程度が普通である。
【００１８】
固定材の両端部には、放熱用のフィンを設ける。表面積を大きくしたもので板を多数（限定はしないが６〜２０枚程度）設けるタイプでも、１枚で湾曲したものでもよい。固定材の両端部とは、固定材に別途別部材を固着しても、固定材のＬＥＤが設置されていない部分を使用してもよい。全体の長さの比率としては、全体の長さの１０〜３０％程度がフィン部全体の長さにするのが好適である。
【００１９】
また、固定材が貫通できる貫通孔を持ち、その周囲に多数のフィンを構成した（一体成型でもよい）を作成し、それを固定材のＬＥＤが設置されていない部分にはめ込んでもよい。この方法が最も製造が簡単である。
【００２０】
フィンの材質は自由であるが、固定材と同じものが好ましいが、異なっていてもよい。熱伝導のよい金属が好適である。
【００２１】
そしてフィンの部分以外の固定材の部分は、通常の直管蛍光灯のような透明の筒（カバー材）でカバーしてもよい。このカバー材は、ガラス製、プラスチック製（フッ素樹脂系のプラスチックが好ましい）等である。形状は、円筒形、半円筒形、断面矩形の筒その他蒲鉾型等自由である。
また、ＬＥＤの光（紫外線を含む）はＬＥＤから広範囲に（広角度）照射されず、小さい角度でビーム状に照射されるため、それを防止するため、カバー材は光を散乱するような構成にしてもよい。
【００２２】
即ち、透明カバー材内に光を散乱させる物質を練り込む方式、又は透明カバー材に光散乱フィルムを貼る方法等がある。また、カバー材の内面又は表面をざらざらにして（細かい凹凸を設ける）散乱させてもよい。
【００２３】
上記したフィンとカバー材の間にリングや板（蓋体）を設けてもよい。これは、カバー材の固着を容易にするためである。
この蓋体は、固定材が挿入される部分は孔が空いていてもよいが、さらにその他の部分にも空気通過孔があってもよい。しかし、虫等がはいらないようにするのがよい。
【００２４】
本発明のＬＥＤ放射器の支持、固定は自由でありどのようなもので支持してもよいが、蛍光灯のような２本型のプラグを突出させて従来の装置にとりつけてもよい。この場合でも、ＬＥＤ用の電気は、そのプラグからとっても、別途他の電源からとってもよい。
【００２５】
本発明ＬＥＤ放射器は、紫外線を照射する捕虫器、殺菌灯、可視光を照射する照明器具、その他美術用のブラックライトその他の用途に使用できる。
【発明の効果】
【００２６】
本発明ＬＥＤ放射器には次のような大きな利点がある。
（１）  ＬＥＤの熱を効率よく放出できる。
（２）  安価で装置は簡単である。
（３）  放熱が大きいため、大きな出力のものができる。
【図面の簡単な説明】
【００２７】
【図１】本発明に用いる固定材１にＬＥＤを装着したところを示す斜視図である。
【図２】本発明ＬＥＤ放射器の１例を示す部分斜視図である。
【図３】図２の例の長手方向からみた断面図である。
【図４】本発明ＬＥＤ放射器の１例の斜視図である。
【発明を実施するための形態】
【００２８】
以下実施例に基づいて、本発明をより詳細に説明する。
図１は、本発明の１例を示すもので、固定材１にＬＥＤ２を装着したところの片側を示す。この固定材１はアルミニウムの押出成型で一体的に成型したものである。よって、接続部はない。勿論、ＬＥＤ２への電源に繋がる配線等は内部にあり、端面側から出ているが図示は略している。
【００２９】
この固定材１に蓋体３を両側に入れる（図１（ｂ）では片側のみ示す）。換言すると、この蓋体３が入る部分まではＬＥＤを設けないということである。この蓋体３には多数の貫通孔４が設けられている。これは空気流通のためである。また、虫が入らないように小さい孔にしている。勿論、蓋体は網でもよい。
【００３０】
この図１（ｂ）の固定材の蓋体３から外側部５に、放熱のため表面積を大きくするため、フィン６を多数固着している（図２）。これは、固定材１と同様、金属（特にアルミニウム）が好ましい。固定は溶接、接着、ろう付け、その他ビスやネジでの固着等でよい。
【００３１】
このフィンの数は限定するものではないが、その効果の点から４〜２０枚程度が好適である。フィンの高さ（固定材から先端までの距離）は、蓋体３と合わせるのがよいが、より大きくても、小さくても構わない。
【００３２】
図２には、両側の蓋体３間にカバー材７がはめ込まれている。これはフッ素系の樹脂製である。この図１〜図２は、製造の手順を限定するものではない。図２では、端部開口８が両側にあり、空気が流通できる。これによって、ＬＥＤの熱、固定材の熱はスムーズに放熱できる。図２の例は、フィン６付の端部材で外側部５が貫通できる貫通孔を持った別途製造し、それを両端に嵌めたものである。
【００３３】
図３は、固定材１とカバー材７を示すものでその断面図である。この図から分かるように、この例の固定材１は、断面が３角形の頂点から線が突出した形状である。
ＬＥＤ２からの光９は狭い角度で照射されているが、カバー材７で拡散されて広い範囲に照射している。このような広範囲の照射ができると、特に捕虫器に最適である。
【００３４】
図４は、本発明ＬＥＤ放射器Ｌの斜視図である。この例では、従来の紫外線ランプの装置にそのまま使用できるように構成している。両端には、２本のプラグ１０が突出している。両端部はフィン６があり、光照射部は小さくなるが、全周的に照射できることや、ＬＥＤの数を増やすその他で十分対応できる。
【００３５】
図５は、図３と同様の図面であるが、ＬＥＤの固着位置が異なっている。この例の放射器は、壁や天井その他装置等に設置するタイプであり、設置する側にはＬＥＤは設けられていない。基本的には、固定材１があり、内部に貫通孔ができるように（筒状に）一体成型されている。これにＬＥＤ２が取り付けられている。また、カバー材７もＬＥＤ２がある側にのみ設けられている。形状は変わるが、蓋体３やフィン６は上記した例と同様に設けられている。
【００３６】
この例では、固定材１はほぼ半円状（照射方向が１２０〜１８０度）であるが、照射方向をより広げたものや、より狭めたものでも可能である。
【符号の説明】
【００３７】
１  固定材
２  ＬＥＤ
３  蓋体
４  貫通孔
５  外側部
６  フィン
７  カバー材
８  端部開口
９  光
１０  プラグ
Ｌ  本発明ＬＥＤ照射器
【図１】
2016085896.tif 000003
【図２】
2016085896.tif 000004
【図３】
2016085896.tif 000005
【図４】
2016085896.tif 000006
【図５】
2016085896.tif 000007
【手続補正書】
【提出日】平成26年11月7日(2014.11.7)
【手続補正１】
【補正対象書類名】明細書
【補正対象項目名】００２７
【補正方法】変更
【補正の内容】
【００２７】
【図１】本発明に用いる固定材１にＬＥＤを装着したところを示す斜視図である。
【図２】本発明ＬＥＤ放射器の１例を示す部分斜視図である。
【図３】図２の例の長手方向からみた断面図である。
【図４】本発明ＬＥＤ放射器の１例の斜視図である。
【図５】ＬＥＤの位置の異なる例の長手方向からみた断面図である。